(57)【特許請求の範囲】
【請求項１】
調理器本体と、
前記調理器本体に設けられたグリル庫と、
前記調理器本体が備える、前記グリル庫の前面の開口の前方に位置する左右の側壁と、
前記調理器本体の前記左右の側壁に設けられた突起と、
前記左右の側壁の間に嵌入することにより前記開口が閉状態となり、前記左右の側壁の間から引き出されることにより前記開口が開状態となるように構成されたグリル扉と、
前記グリル扉が前記閉状態のときに前記調理器本体の前記左右の側壁と対向する前記グリル扉の左右の側面に設けられ、前記調理器本体の前記左右の側壁に設けた前記突起と係合して、前記調理器本体と前記グリル扉との上下方向の位置関係を規定する位置決め用段部と
を備え、
前記位置決め用段部は、前記グリル扉が前記閉状態のときに前記調理器本体の前記左右の側壁と対向する、前記グリル扉の左右の側面に設けられた、前記調理器本体の前記左右の側壁に向かって突出した突出領域と、突出していない非突出領域の境界部に形成された法面を有する段部であり、かつ、
前記法面が、後方側から前方側に向かって低くなるような傾斜領域を備えているとともに、前記境界部の前記傾斜領域を超えて前方に位置する傾斜を有しない領域の法面が、前記突起に乗り上げることにより、前記調理器本体と前記グリル扉との上下方向の位置決めが行われるように構成されており、
前記調理器本体の前記左右の側壁に設けた前記突起の左右方向の突出寸法Ａが、前記位置決め用段部の基部から先端部までの、前記突起の突出方向である左右方向と同一方向の寸法Ｂよりも大きくなるように構成されていること
を特徴とするグリル付き調理器。
【請求項２】
前記位置決め用段部が、前記グリル扉が前記閉状態のときに前記調理器本体の前記左右の側壁の前記突起に乗り上げるような態様で前記突起と係合することにより、前記調理器本体と前記グリル扉との上下方向の位置関係が規定されるように構成されていることを特徴とする請求項１記載のグリル付き調理器。
【請求項３】
前記調理器本体に形成された前記突起の前側部分には、前記左右の前記突起の先端間の距離が、前記突起の後方側から前方側に向かうほど大きくなるような傾斜部が設けられていることを特徴とする請求項１または２記載のグリル付き調理器。
【発明の詳細な説明】
【技術分野】
【０００１】
本発明は、グリル付き調理器に関し、詳しくは、調理器本体の内部にグリル庫が設けられ、かつ、調理器本体のグリル庫前面を開閉するグリル扉を備えたグリル付き調理器に関する。
【背景技術】
【０００２】
調理器本体の内部にグリル庫を備えたグリル付き調理器には、例えば、特許文献１に開示されているようなグリル付き調理器がある。
【０００３】
このグリル付き調理器は、調理器本体が、グリル庫前面の開口の前方に左右の側壁を備えるとともに、左右の側壁には、グリル扉がこの左右の側壁間に嵌入してグリル庫前面の開口を閉じた状態において、グリル扉に設けられた位置決め用の凹部と係合して、調理器本体とグリル扉との上下の位置決めをする凹部を備えた構造を有している。
すなわち、このグリル付き調理器においては、調理器本体の上記左右の側壁に設けた突起が、グリル扉に設けた凹部に嵌入することにより、調理器本体とグリル扉との上下方向の位置決めが行われるように構成されている。
【０００４】
そして、このグリル付き調理器によれば、グリル扉が正しい閉じ位置に確実に保たれるという効果を得ることができる。
【０００５】
しかしながら、この従来のグリル付き調理器によれば、グリル扉がグリル庫前面の開口の前方に位置する左右の側壁の間に嵌入し始めてから、グリル扉が完全にグリル庫前面の開口を閉じるまでの間、グリル扉の左右の両側面とグリル庫前面の開口の前方に位置する左右の側壁とが接触することが考えられる。
【０００６】
その場合、グリル扉の左右の両側面とグリル庫前面の開口の前方に位置する左右の側壁とが摺動することになるため、両者の摺動抵抗が大きい場合、グリル扉を閉じる際の操作性が悪くなり、使用感が低下するという問題点がある。
【先行技術文献】
【特許文献】
【０００７】
【特許文献１】実公平４−２５０８７号公報
【発明の概要】
【発明が解決しようとする課題】
【０００８】
本発明は、上記課題を解決するものであり、調理器本体側の、グリル庫前面の開口の前方に左右の側壁を備え、この左右の側壁間に嵌入してグリル庫前面の開口を閉じるグリル扉を備えたグリル付き調理器において、グリル扉と調理器本体との上下の位置決めを確実に行うことが可能であるとともに、グリル扉の左右の両側面とグリル庫前面の開口の前方に位置する左右の側壁とが摺動することに伴う操作性の低下を防止して、優れた使用感を実現することが可能なグリル付き調理器を提供することを目的とする。
【課題を解決するための手段】
【０００９】
上記の目的を達成するために、本発明のグリル付き調理器は、
調理器本体と、
前記調理器本体に設けられたグリル庫と、
前記調理器本体が備える、前記グリル庫の前面の開口の前方に位置する左右の側壁と、
前記調理器本体の前記左右の側壁に設けられた突起と、
前記左右の側壁の間に嵌入することにより前記開口が閉状態となり、前記左右の側壁の間から引き出されることにより前記開口が開状態となるように構成されたグリル扉と、
前記グリル扉が前記閉状態のときに前記調理器本体の前記左右の側壁と対向する前記グリル扉の左右の側面に設けられ、前記調理器本体の前記左右の側壁に設けた前記突起と係合して、前記調理器本体と前記グリル扉との上下方向の位置関係を規定する位置決め用段部と
を備え、
前記位置決め用段部は、前記グリル扉が前記閉状態のときに前記調理器本体の前記左右の側壁と対向する、前記グリル扉の左右の側面に設けられた、前記調理器本体の前記左右の側壁に向かって突出した突出領域と、突出していない非突出領域の境界部に形成された法面を有する段部であり、かつ、
前記法面が、後方側から前方側に向かって低くなるような傾斜領域を備えているとともに、前記境界部の前記傾斜領域を超えて前方に位置する傾斜を有しない領域の法面が、前記突起に乗り上げることにより、前記調理器本体と前記グリル扉との上下方向の位置決めが行われるように構成されており、
前記調理器本体の前記左右の側壁に設けた前記突起の左右方向の突出寸法Ａが、前記位置決め用段部の基部から先端部までの、前記突起の突出方向である左右方向と同一方向の寸法Ｂよりも大きくなるように構成されていること
を特徴としている。
【００１０】
また、前記位置決め用段部が、前記グリル扉が前記閉状態のときに前記調理器本体の前記左右の側壁の前記突起に乗り上げるような態様で前記突起と係合することにより、前記調理器本体と前記グリル扉との上下方向の位置関係が規定されるように構成されていることが好ましい。
【００１１】
また、前記調理器本体に形成された前記突起の前側部分には、前記左右の前記突起の先端間の距離が、前記突起の後方側から前方側に向かうほど大きくなるよ
【発明の効果】
【００１２】
本発明のグリル付き調理器は、調理器本体の、左右の側壁に設けた、突起の左右方向の突出寸法Ａが、位置決め用段部の基部から先端部までの、突起の突出方向である左右方向と同一方向の寸法Ｂよりも大きくなるように構成されているので、グリル扉が左右いずれかの方向にずれたときにも突起の先端がグリル扉と当接することで、グリル扉の左右側面とグリル庫前面の開口の前方に備える左右の側壁との接触を防止することができる。したがって、グリル扉と調理器本体との上下の位置決めを確実に行うことが可能で、かつ、グリル扉の左右の両側面とグリル庫前面の開口の前方に位置する左右の側壁とが摺動することに伴う操作性の低下を防止して、優れた使用感を実現することが可能なグリル付き調理器を提供することができるようになる。
【００１３】
なお、本発明において、「前記位置決め用段部の基部から先端部までの、前記突起の突出方向である左右方向と同一方向の寸法Ｂ」とは、例えば図５に示すところの、グリル扉４の左右の側面（図５では右側の側面）５の、調理器本体１０の前記左右の側壁（図５では右側の側壁）１２に向かって突出した突出領域６の表面と、突出していない非突出領域７ｂの表面の間の距離（寸法）Ｂを意味するものである。
【００１４】
また、グリル扉が閉状態のときに調理器本体の左右の側壁と対向する、グリル扉の左右の側面に設けられた、調理器本体の前記左右の側壁に向かって突出した突出領域と、突出していない非突出領域の境界部に形成された法面を有する段部を位置決め用段部としているので、複雑な構造を必要とせずに、確実に位置決め用段部を構成することが可能になる。
なお、本発明において、法面を有する位置決め用段部は、突出領域６と非突出領域７ｂ（図３，図５など）の境界部に法面が形成されるような態様のものに限らず、例えば、グリル扉の左右の側面に凸条を設け、その下面が上述の法面として機能するような位置決め用段部を設けることも可能である。
【００１５】
また、位置決め用段部としてグリル扉に形成された位置決め用段部突出領域と位置決め用段部非突出領域の境界部に形成された段部の法面が、後方側から前方側に向かって低くなるような傾斜領域を備えているとともに、位置決め用段部境界部の位置決め用段部傾斜領域を超えて前方に位置する傾斜を有しない領域の法面が、位置決め用段部突起に乗り上げることにより、位置決め用段部調理器本体と位置決め用段部グリル扉との上下方向の位置決めが行われるように構成されているので、グリル扉を奥側に押し込む（後方に移動させる）のに伴って、調理器本体とグリル扉との上下方向の位置決めを円滑に行うことが可能になる。
【００１６】
位置決め用段部が、調理器本体の左右の側壁の突起に乗り上げるような態様で突起と係合することにより、調理器本体と、グリル扉との上下方向の位置関係が規定されるようにした場合、円滑かつ確実にグリル扉との上下方向の位置関係を規定することが可能になり、本発明をより実効あらしめることができる。
【００１７】
また、調理器本体に形成された突起の前側部分に、左右の突起の先端間の距離が、突起の後方側から前方側に向かうほど大きくなるような傾斜部を設けることにより、グリル扉を、左右の突起の先端間に確実かつ円滑に嵌入させることが可能になり、グリル扉によってグリル庫前面の開口を閉じる際の操作感を向上させることができる。
【図面の簡単な説明】
【００１８】
【図１】本発明の一実施形態にかかるグリル付き調理器の斜視図である。
【図２】本発明の一実施形態にかかるグリル付き調理器のグリル扉を引き出した状態を示す斜視図である。
【図３】本発明の一実施形態にかかるグリル付き調理器のグリル扉を閉じた状態を示す要部側面図である。
【図４】本発明の一実施形態にかかるグリル付き調理器の要部平面図である。
【図５】本発明の一実施形態にかかるグリル付き調理器のグリル扉を閉じ始めた状態を示す要部断面図である。
【発明を実施するための形態】
【００１９】
以下、本発明の実施形態を示して、その特徴とするところをさらに詳しく説明する。
【００２０】
［実施形態］
この実施形態にかかるグリル付き調理器１は、図１および２に示すように、調理器本体１０の天面部を構成するトッププレート３０と、トッププレート３０に配置された、２つのコンロバーナ２１，２２を有するコンロ部２ａと、グリル庫２ｂとを備えたガステーブルコンロである。
【００２１】
このグリル付き調理器（ガスコンロ）１において、調理器本体１０の前面を構成する前面パネル１１には、左側のコンロバーナ２１用の点消火ボタン４１（４１ａ）、右側のコンロバーナ２２用の点消火ボタン４１（４１ｂ）、グリルバーナ用の点消火ボタン４１（４１ｃ）が配設されている。
【００２２】
グリル付き調理器１は、さらに調理器本体１０のコンロバーナ２１，２２の火力を調節する火力調節レバー５１，５２およびグリル庫２ｂを構成するグリルバーナ（図示せず）の火力を調節する火力調節レバー５３を備えている。
【００２３】
調理器本体１０は、図２，４，５に示すように、グリル庫２ｂの前面の開口３の前方に左右の側壁１２を備えている。
【００２４】
さらに、このグリル付き調理器１は、左右の側壁１２の間に嵌入することで開口３が閉状態（図１の状態）となり、左右の側壁１２の間から引き出されることにより開口３が開状態（図２の状態）となるように構成されたグリル扉４を備えている。
【００２５】
調理器本体１０の左右の側壁１２には、左右方向に突出するように設けられた突起１３を備えている（なお、突起１３は、左右の側壁１２の互いに正対する位置に設けられている）。
【００２６】
また、グリル扉４が閉状態のときに調理器本体１０の左右の側壁１２と対向する、グリル扉４の左右の側面５には、調理器本体１０の左右の側壁１２に設けた突起１３と係合して、調理器本体１０とグリル扉との上下方向の位置関係を規定する位置決め用段部８が設けられている。
【００２７】
なお、この実施形態では、位置決め用段部８が、調理器本体１０の左右の側壁１２に向かって突出した突出領域６と、突出領域６の上下両側の突出していない非突出領域７ａ，７ｂの境界部に形成された法面９（図３参照）を有する段部として構成されている。
【００２８】
すなわち、この実施形態のグリル付き調理器（ガスコンロ）１では、突出領域６と、突出領域６の下側の突出していない非突出領域７ｂの境界部の法面９が位置決め機能を果たすことになる。
【００２９】
この実施形態のグリル付き調理器では、法面９が、調理器本体１０の左右の側壁１２に設けられた突起１３と係合する（乗り上げる）ことにより、調理器本体１０とグリル扉４との上下方向の位置関係が規定されるように構成されている。
【００３０】
また、このグリル付き調理器１においては、図５に示すように、調理器本体１０の左右の側壁１２に設けた左右の突起１３の左右方向の突出寸法Ａが、位置決め用段部８の、突出領域６の表面から非突出領域７ｂの表面までの左右方向の距離（深さ）Ｂよりも大きくなるように、すなわち、位置決め用段部８の基部（非突出領域７ｂの表面）から先端部（突出領域６の表面）までの、上記突起１３の突出方向である左右方向と同一方向の寸法Ｂよりも大きくなるように構成されている。
【００３１】
また、この実施形態のグリル付き調理器１では、調理器本体１０に形成された突起１３の前側部分には、左右の突起１３の先端間の距離が、突起１３の後方側から前方側に向かうほど大きくなるような傾斜部１４が設けられている（図４，５参照）。
【００３２】
さらに、この実施形態のグリル付き調理器１では、調理器本体１０に形成された突出領域６と非突出領域７ｂの境界部の法面９を有する段部が、グリル扉４の左右の側面５に設けられた位置決め用段部８として機能するように構成され、法面９が後方側から前方側に向かって低くなるような傾斜領域９ａを備えているとともに、突出領域６と非突出領域７ｂの境界部の法面９の傾斜領域９ａを超えて前方に位置する傾斜を有しない非傾斜領域９ｂが、突起１３に乗り上げてその上面に当接することにより、調理器本体１０とグリル扉４との上下方向の位置決めが行われるように構成されている（図３参照）。
【００３３】
この実施形態のグリル付き調理器１は、上述のように構成されており、調理器本体１０の左右の側壁１２に設けた左右の突起１３の左右方向の突出寸法Ａが、位置決め用段部８の、突出領域６の表面から非突出領域７ｂの表面までの左右方向の距離Ｂである深さ寸法よりも大きくなるように構成されているので、グリル扉４が左右いずれかの方向にずれたときにも突起１３の先端がグリル扉４と当接することで、グリル扉４の左右側面とグリル庫２ｂの前面の開口３の前方に備える左右の側壁１２との接触を防止することができる。したがって、グリル扉４と調理器本体１０との上下の位置決めを確実に行うことが可能になるとともに、グリル扉４の左右の両端とグリル庫２ｂの前面の開口３の前方に位置する左右の側壁１２とが摺動することに伴う摺動抵抗を低減して、操作感を向上させることができる。
【００３４】
また、この実施形態のグリル付き調理器１では、調理器本体１０に形成された突起１３の前側部分には、左右の突起１３の先端間の距離が、突起１３の後方側から前方側に向かうほど大きくなるような傾斜部１４が設けられている（図４，５参照）ので、グリル扉４を後方（奥側）に移動させるときに、グリル扉４を、左右の突起１３の先端間に確実かつ円滑に嵌入させることが可能になり、グリル扉４によってグリル庫２ｂの前面の開口３を閉じる際の操作感を向上させることができる。
【００３５】
また、この実施形態のグリル付き調理器１では、突出領域６と、突出領域６の下側の突出していない非突出領域７ｂの境界部の法面９を有する段部が位置決め用段部８として機能するよう構成されており、位置決め用段部８の法面９が、調理器本体１０の左右の側壁１２に設けられた突起１３に乗り上げることにより、調理器本体１０とグリル扉４との上下方向の位置関係が規定されるように構成されているので、グリル扉を円滑に操作しつつ、調理器本体とグリル扉との上下方向の位置関係を規定することが可能になる。
【００３６】
また、この実施形態のグリル付き調理器（ガスコンロ）１では、上述のように、突出領域６と非突出領域７ｂの境界部の法面９を有する段部を位置決め用段部８として機能させるようにしているので、位置決めを円滑に行うために位置決め用段部８の前後方向の寸法を大きくした場合にも、グリル扉４の製造を容易に行うことができる。
【００３７】
また、この実施形態のグリル付き調理器１では、上述のように、調理器本体１０に形成された突出領域６と非突出領域７ｂの境界部の法面９を有する段部を位置決め用段部８とし、かつ、法面９が後方側から前方側に向かって低くなるような傾斜領域９ａを備えるようにしているので、グリル扉を後方（奥側）に移動させて、位置決めを行う際の位置決め操作を円滑に行うことが可能になり、操作感を向上させることができる。
【００３８】
上記実施形態では、グリル付き調理器として、ガスグリルを組み合わせたガステーブルコンロを例にとって説明したが、本発明は、グリル専用機にも適用することが可能である。
【００３９】
また、本発明は、ガスを燃料とするグリル付き調理器に限られるものではなく、電気グリルにも適用することが可能である。
【００４０】
本発明は、さらにその他の点においても、上記実施形態の構成に限定されるものではなく、発明の範囲内において、種々の応用、変形を加えることが可能である。
【符号の説明】
【００４１】
１                  グリル付き調理器（ガスコンロ）
２ａ                コンロ部
２ｂ                グリル庫
３                  開口
４                  グリル扉
５                  グリル扉の左右の側面
６                  グリル扉の側面の突出領域
７ａ，７ｂ          グリル扉の側面の非突出領域
８                  位置決め用段部
９                  法面
９ａ                法面の傾斜領域
９ｂ                法面の非傾斜領域
１０                調理器本体
１１                前面パネル
１２                側壁
１３                突起
１４                突起の傾斜部
２１，２２          コンロバーナ
３０                トッププレート
４１（４１ａ，４１ｂ，４１ｃ）    点消火ボタン
５１，５２，５３    火力調節レバー
Ａ                  突起の左右方向の突出寸法
Ｂ                  突出領域の表面から非突出領域の表面までの左右方向の距離
【図１】
0006622999.tif 000002
【図２】
0006622999.tif 000003
【図３】
0006622999.tif 000004
【図４】
0006622999.tif 000005
【図５】
0006622999.tif 000006